(57)【要約】【課題】  顧客が自身の携帯端末から、レシート情報に基づきサービスポイント申請を行うと、拾ったレシート、あるいは、盗んだレシートを不正使用して、自分のポイントとして登録できてしまう恐れがある。【解決手段】  バーコードリーダ付レジスタ３００の印字手段３１０は、商品バーコードから読み取った商品情報に基づき精算金額を算出し、また、ユーザ端末２００の画面表示された会員バーコードから読み取った会員ＩＤ、商品情報、さらには、店ＩＤ、精算日時情報、新規に生成したレシートＩＤに基づき二次元バーコードを作成し、レシート印字する。【選択図】      図１
2007087225.tif 000002
【特許請求の範囲】
【請求項１】
購入者の代金支払に対してレシートを発行するレシート発行装置であって、
購入者の識別情報の入力を受け付ける受付手段と、
前記購入者の支払った代金を算出する算出手段と、
前記算出した代金および前記受け付けたユーザ識別情報に基づいてコード情報を生成し、該コード情報を発行する発行手段
を備えることを特徴とするレシート発行装置。
【請求項２】
請求項１記載のレシート発行装置であって、
前記受付手段は、購入者が所持する購入者端末が画面表示したバーコードを読み取ることでユーザの識別情報を受け付け、
前記発行手段は、前記コード情報として二次元バーコードを発行する
ことを特徴とするレシート発行装置。
【請求項３】
請求項１記載の決済装置であって、
前記発行手段は、前記コード情報をレシートに印字する
ことを特徴とするレシート発行装置。
【発明の詳細な説明】
【技術分野】
【０００１】
本発明は、購入者の代金支払に対してレシートを発行するレシート発行装置に関する。
【背景技術】
【０００２】
購入によって得られるサービスポイントを管理する方法としては、サービスポイントを発行する店舗が、サービスポイントを管理するシステムを備え、購入者との取引が発生する度に、取引金額に対応するポイントを算出し、購入者の累積ポイントを更新するようにしているのが一般的な方法である。
【０００３】
しかし、この方法では設備投資・ポイント管理処理といった点で店舗はおおきな負担を担うことになる。
【０００４】
この負担を解決するための技術が既に特許文献で公開されている。この技術によれば、店舗はPOSレジ装置からレシートを発行するのみで、顧客がレシートに印字されるレシート番号および金額を顧客自身の携帯電話に入力し、ポイント管理サーバ装置に送信する。
【０００５】
ポイント管理サーバ装置は、受信したレシート番号および金額に合致する売上データをPOSレジ装置に接続されたPOSサーバ装置から検索し、当該売上データに関するポイント数を算出し、該顧客のポイント数として登録する（特許文献１）。
【特許文献１】特開２００２−２９８２２２
【発明の開示】
【発明が解決しようとする課題】
【０００６】
しかし、顧客自らがレシート情報を入力するため、顧客が提示した情報の正当性を検証しなければならない、という問題が生じる。
【０００７】
正当性の検証のため、上記技術では、POSサーバ管理装置に記憶される売上データにアクセスさせ提示情報と照合させる。しかし、店舗がサービスポイント管理のみを、ポイント管理サービス会社に委託している場合、自社の重要情報である売上データを管理するPOSサーバ管理装置へ他企業からアクセスさせることは、セキュリティや情報機密の観点から、店舗にとっては大きな抵抗感がある。
【０００８】
また、上記技術では、顧客が携帯端末からポイント管理サービスにログインする際に、アクセスIDとパスワードを入力することで、アクセス資格の有無をチェックしている。しかし、レシートに印字される購入情報の購入者がログインしてきた人物であるかは、証明できない。したがって、拾ったレシート、あるいは、盗んだレシートを不正使用して、自分のポイントとして登録できる余地がある。
【０００９】
本発明の目的は、顧客自身が購入情報を入力する動作を省き、また、必ず実際に購入した者へサービスポイントが登録されるようにすることにある。
【課題を解決するための手段】
【００１０】
本発明は、購入者の代金支払に対してレシートを発行するレシート発行装置であって、購入者の識別情報の入力を受け付ける受付手段と、前記購入者の支払った代金を算出する算出手段と、前記算出した代金および前記受け付けたユーザ識別情報に基づきコード情報を生成し、該コード情報を発行する発行手段を備えることを特徴とする。
【００１１】
さらに、本発明の前記受付手段は、購入者が所持する購入者端末が画面表示したバーコードを読み取ることでユーザの識別情報を受け付け、前記発行手段は前記コード情報として二次元バーコードを発行することを特徴とする。
【００１２】
また、本発明の前記発行手段は、前記コード情報をレシートに印字することを特徴とする。
【発明の効果】
【００１３】
本発明は、購入情報および顧客の識別情報に基づいてバーコードを生成し、レシートに印字するので、購入者が誰なのか明示されるため、不正なポイント申請を防止できる。
【００１４】
また、顧客は、レシートに印字されたバーコードを顧客所有の携帯端末で読み取り、その情報を自動的にポイント管理装置に送信するので、顧客の入力操作が介在せず、顧客操作は簡易になり、また、改ざんを防止できる。
【発明を実施するための最良の形態】
【００１５】
以下、本発明における実施形態を示す。尚、ここに示す実施例と同等の効果が生じる範囲であれば、本実施例にどのような変更を加えても構わない。
【００１６】
本発明におけるシステム全体の構成を図１に示す。本発明は、管理装置１００、ユーザ端末２００、バーコードリーダ付レジスタ３００、ネットワーク４００、店舗端末５００で構成される。
【００１７】
管理装置１００は、ユーザ端末２００から送信される購入情報および会員IDに基づいてサービスポイントを管理する。管理装置１００は、さらに、登録手段１１０、管理手段１２０、会員ＤＢ（データベース）１３０、加盟店ＤＢ１４０、ポイント定義ＤＢ１５０、ポイントＤＢ１６０で構成される。
【００１８】
登録手段１１０は、店舗端末５００からの加盟店申請、あるいは、ユーザ端末２００からの会員申請を受け付け、加盟店情報は加盟店DB１４０に、会員情報は会員DB１３０に登録する。
【００１９】
管理手段１２０は、ユーザ端末２００からのポイント申請を受け付け、ポイント定義DB１５０に基づき購入情報の金額から今回獲得ポイント数を算出し、ポイントDB160に記録される該当会員のサービスポイント点数を更新する。また、ユーザ端末２００からのポイント利用申請に対しては、ポイント利用を可能とするバーコードをユーザ端末２００に送信する。
【００２０】
会員ＤＢ１３０には、ポイント管理サービスに登録した会員に関する情報が記録されている。会員ＤＢ１３０で管理される会員テーブル７００には、図８に示すように、例えば、会員ＩＤ（識別情報）、会員の氏名、利用者の電子メール連絡先となる送信先、インターネット上で運営されるサービスポイント管理サービスにアクセスする時に必要なパスワード、が管理される。
【００２１】
加盟店ＤＢ１４０には、ポイント管理サービスに加盟した加盟店に関する情報が記録されている。加盟店ＤＢ１４０で管理される加盟店テーブル８００には、図９に示すように、例えば、加盟店の店ＩＤ、店名、加盟店の電子メール連絡先となる送信先、サービスポイント管理サービスへのアクセス時に必要なパスワード、が管理される。
【００２２】
ポイント定義ＤＢ１５０には、購入金額に応じたポイント算出ルールが記録されている。ポイント定義ＤＢ１５０で管理されるポイント定義テーブル９００には、図１０に示すように、例えば、店ID、ポイントを発行する購入金額単位を示す金額単位、購入金額単位毎に発行されるポイント数を示す換算ポイント、が管理される。
【００２３】
例えば、図１０のポイント定義テーブル９００の第１レコードについては、店ＩＤがＳ０１の加盟店は、購入金額１０００円単位に１００ポイント発行するというポイント算出ルールが記録されている。したがって、４０００円の購入金額ならば４００ポイントが発行される。
【００２４】
ポイント定義テーブル９００には、さらにきめ細かなポイント算出ルールとして、ポイント付与すべき商品分類や特定商品、あるいは、ポイント付与適用期間、等を定義づけることも可能である。
【００２５】
ポイントＤＢ１６０には、会員毎のポイント残高が記録されている。ポイントＤＢ１６０で管理されるポイントテーブル１０００は会員毎に設けられる。その構成データ項目は、加盟店を示す店ＩＤ、ポイント残高を示すポイント数である。
【００２６】
本実施例では、商品を購入したポイントは、その購入店のみで使用できることを前提にしているため、店ＩＤ毎にポイント数が管理される。取得ポイントがいずれの加盟店でも使用できることとすれば、ポイントテーブル１０００は、会員毎に設ける必要はなく、会員を示す会員ＩＤに対応づけて、その会員が登録してきた全ポイント数、が管理されることになる。
【００２７】
ユーザ端末２００は、ネットワーク４００を介して管理装置１００と通信を行い、インターネットサイトとして提供される会員申請処理やポイント申請等、ポイント管理各種サービスを利用するための処理を行う。本実施例では、ユーザ端末２００として、バーコードスキャナ内蔵型の携帯電話を想定しているが、同等の機能を果たせる情報機器であれば、それらの情報機器でも良い。
【００２８】
ユーザ端末２００は、表示手段２１０、読取手段２２０、ブラウズ手段２３０で構成される。
【００２９】
表示手段２１０は、会員登録時に管理装置１００から取得した会員ＩＤを示すバーコードを、商品購入時にユーザ端末２００の画面上に表示する。
【００３０】
読取手段２２０は、加盟店が発行したレシートに印字される二次元バーコードを読み取り、二次元バーコード内のデータを解析し、解析データを管理装置１００へ登録する。読取手段２２０は専用アプリケーションソフトであり、この専用アプリケーションソフトは、会員登録時に、ポイント管理サービスのインターネットサイトで、ユーザ端末２００が取得する。
【００３１】
ブラウズ手段２３０は、ネットワーク４００を介して、管理装置１００と通信を行い、ポイント管理サービスのインタネットサイトへアクセスし、サイトの情報を表示し、また管理装置１００との間でインタラクティブに各種処理を行う。
【００３２】
本実施例では、ブラウズ手段２３０は、一般的なインターネットブラウザを想定しているが、同等の機能を有するアプリケーションソフトがあれば、それを使用をしても良い。
【００３３】
バーコードリーダ付レジスタ３００は、加盟店に設置されており、ユーザ端末２００が表示する会員バーコードや商品に添付される商品バーコードを読み取り、それらが示す情報に基づき、二次元バーコードを作成し、二次元バーコードを含むレシートを印字する。
【００３４】
バーコードリーダ付レジスタ３００は、印字手段３１０、読取手段３２０、で構成される。
【００３５】
印字手段３１０は、従来のバーコードリーダ付レジスタと同等な商品精算処理およびレシート印字処理を行うが、さらに、精算情報および商品購入者の会員IDを含む二次元バーコードを作成し、これを通常のレシートに併せて印字する。
【００３６】
印字手段３１０が印字するレシート１１００の例を、図１２に示す。文字で印字されている部分は従来のレシートと同一である。そのレシートに二次元バーコードが付されている。
【００３７】
二次元バーコードは、バーコードスキャナで解析すると、文字印刷されている精算情報、店ＩＤ、会員ＩＤ、および、レシートを個別識別するためのレシートＩＤがデータとして読み取れるようになっている。
【００３８】
読取手段３２０は、従来のバーコードリーダと同等の機能を有し、ユーザ端末２００が表示する会員バーコードや商品に添付される商品バーコードを読み取り、バーコードが示すデータを解析する。
【００３９】
ネットワーク４００は、デジタル通信を可能とするのであれば、どのような通信回線でも構わない。また、有線回線か無線回線の区別も必要としない。また、有線回線と無線回線の混在であっても構わない。
【００４０】
店舗端末５００は、ネットワーク４００を介して管理装置１００と通信を行い、インターネットサイトとして提供される加盟店申請処理等を行う。
【００４１】
ブラウズ手段５１０は、ネットワーク４００を介して、管理装置１００と通信を行い、ポイント管理サービスのインタネットサイトへアクセスし、サイトの情報を表示し、また管理装置１００との間でインタラクティブに処理を行う。
【００４２】
本実施例では、ブラウズ手段５１０は、一般的なインターネットブラウザを想定しているが、同等の機能を有するアプリケーションソフトがあれば、それを使用をしても良い。
【００４３】
バーコードリーダ付レジスタ３００および店舗端末５００は、加盟店毎に複数存在し、ユーザ端末２００は、ユーザ毎に複数存在する。また、加盟店が複数のバーコードリーダ付レジスタ３００を備えている構成も考えられる。
【００４４】
図２に、本実施例における管理装置１００、ユーザ端末２００、バーコードリーダ付レジスタ３００および店舗端末５００の間で行われる全体的な処理の概要を示す。
【００４５】
Ｓ１で、店舗端末５００のブラウズ手段５１０が、管理装置１００が制御するポイント管理サービスのインターネットサイトへアクセスし、ポイント管理サービスに加盟するための加盟申請を行う。
【００４６】
Ｓ２で、管理装置１００の登録手段１１０は、店舗端末５００からの加盟申請情報を受信し、加盟店としての登録処理を行う。
【００４７】
なお、図３を示し、Ｓ２の詳細処理を後述する。
【００４８】
Ｓ３で、ユーザ端末２００のブラウズ手段２３０は、管理装置１００が制御するポイント管理サービスのインターネットサイトへアクセスし、ポイント管理サービスを利用するための会員申請を行う。
【００４９】
Ｓ４で、管理装置１００の登録手段１１０は、ユーザ端末２００からの会員申請情報を受信し、会員としての登録処理を行う。
【００５０】
Ｓ５で、管理装置１００の登録手段１１０は、新規登録した会員に対する会員ＩＤを示す会員バーコードを送信する。また、ユーザ端末２００の読取手段２２０に相当する専用アプリケーションソフトも送信する。
【００５１】
なお、Ｓ４〜Ｓ５については、図４を示しながら、その詳細処理を後述する。
【００５２】
Ｓ６で、ユーザ端末２００のブラウズ手段２３０が、会員バーコードおよび専用アプリケーションソフトを、ポイント管理インターネットサイトからダウンロードする。
【００５３】
以上のようなＳ１〜Ｓ６までの処理で、加盟店および会員が管理装置１００が制御するポイント管理サービスを利用できる準備が整ったことになる。
【００５４】
次に、加盟店で会員が実際に商品を購入した際の処理を説明する。
【００５５】
Ｓ７で、会員が購入商品を精算する際、ユーザ端末２００の表示手段２１０が、端末画面上に会員バーコードを表示する。
【００５６】
Ｓ８で、バーコードリーダ付レジスタ３００の読取手段３２０は、会員バーコードを読み取ることで会員ＩＤを識別し、また、これと相前後して、商品に付与されたバーコードを読み取り商品名や商品識別番号、価格等の商品情報を識別する。
【００５７】
Ｓ９で、バーコードリーダ付レジスタ３００の印字手段３１０は、Ｓ８で識別した商品情報に基づき精算金額を算出し、また、Ｓ８で識別した会員ＩＤ、商品情報、さらには、店ＩＤ、精算日時情報、新規に生成したレシートＩＤに基づき二次元バーコードを作成し、この二次元バーコードを通常のレシート文字情報と併せて印字する。印字されたレシートは、ユーザ端末２００を所持する会員に渡される。
【００５８】
なお、Ｓ８〜Ｓ９については、図５を示しながら、その詳細処理を後述する。
【００５９】
次に、会員がユーザ端末２００から受け取ったレシートを利用して、管理装置１００へポイント登録を行う処理を説明する。
【００６０】
Ｓ１０で、会員により起動されたユーザ端末２００の読取手段２２０は、ユーザ端末２００に内臓のバーコードリーダにより、レシートの二次元バーコードを読取り、データ内容を識別する。
【００６１】
Ｓ１１で、ユーザ端末２００の読取手段２２０は、ポイント管理サービスのインターネットサイトへアクセスし、二次元バーコードから識別した商品情報および会員情報等のデータに基づきサービスポイントの登録申請を行う。
【００６２】
Ｓ１２で、管理装置１００の管理手段１２０は、ポイント管理サービスのインターネットサイトを介してユーザ端末２００から申請されてきた商品情報のデータに基づき、今回発生すべきポイント数を算出し、対応する会員ＩＤのポイント残高を更新する。
【００６３】
Ｓ１３で、管理装置１００の管理手段１２０は、更新したポイント残高情報をユーザ端末２００に送信する。
【００６４】
なお、Ｓ１２〜Ｓ１３については、図７を示しながら、その詳細処理を後述する。
【００６５】
Ｓ１４で、ユーザ端末２００の読取手段２２０は、管理装置１００からの更新ポイント残高情報を受信して端末画面に表示し、会員からの操作入力によって、終了処理を行う。
【００６６】
なお、Ｓ１０〜Ｓ１１、および、Ｓ１４については、図６に示しながら、その詳細処理を後述する。
【００６７】
以上が、本実施例における全体的な処理の流れである。
【００６８】
次に、本実施例に関する詳細な処理フローを、図３〜図７を用いて説明する。
【００６９】
図３に、管理装置１００の登録手段１１０が、店舗端末５００からの加盟申請を受け付け、加盟店登録を行う加盟登録処理を示す。
【００７０】
当該加盟登録処理は、管理装置１００が制御するポイント管理サービスのインターネットサイトに店舗端末５００がアクセスし、選択した加盟店登録画面上で処理が行われる。
【００７１】
Ｓ２１で、加盟店登録画面で必要記入事項が記入され、画面上の登録ボタンが押下されることで店舗端末５００から送信されてきた加盟申請情報を、登録手段１１０が受信する。
【００７２】
加盟申請情報には、少なくとも加盟店テーブル８００、および、ポイント定義テーブル９００で管理する情報が含まれる。
【００７３】
図９の例に沿えば、店名、送信先、ログインパスワードを、さらに、図１０の例に沿えば、金額単位、換算ポイントに関する情報が加盟申請情報に含まれる。
【００７４】
Ｓ２２で、登録手段１１０は、受信した加盟申請情報を加盟店テーブル８００に登録する。
【００７５】
すなわち、登録手段１１０は、加盟店テーブル８００に新規レコードを追加し、新規に店ＩＤを生成し該レコードに記録した上で、受信した加盟申請情報内の店名、送信先、ログインパスワードを登録する。
【００７６】
Ｓ２３で、登録手段１１０は、加盟申請情報の残りの、金額単位、換算ポイントをポイント定義テーブル９００に登録する。
【００７７】
Ｓ２４で、登録手段１１０は、加盟店登録が終了した旨を通知する登録完了情報を生成し、店舗端末５００に対して送信して、一連の加盟店登録処理を終了する。
【００７８】
この登録完了情報には、店ＩＤが含まれる。店舗端末５００に表示された店ＩＤに基づき、店舗管理者は、バーコードスキャナ付きレジスタ３００に店ＩＤを登録し、印字手段３１０が、レシートおよび二次元バーコードに店ＩＤを記録できるようにする。
【００７９】
次に図４を用いて、管理装置１００の登録手段１１０が、ユーザ端末２００からの会員申請情報を受け付けて会員登録する会員登録処理フローについて説明する。
【００８０】
当該加盟登録処理は、管理装置１００が制御するポイント管理サービスのインターネットサイトにユーザ端末２００がアクセスし、選択した会員登録画面上で処理が行われる。
【００８１】
Ｓ３１で、登録手段１１０は、会員登録画面で必要記入事項が記入され、画面上の登録ボタンが押下されることでユーザ端末２００から送信されてきた会員申請情報を、登録手段１１０が受信する。
【００８２】
会員申請情報には、少なくとも会員テーブル７００で管理される情報を含む必要がある。図８の例に沿えば、氏名、送信先、ログインパスワードに関する情報が加盟申請情報に含まれる。
【００８３】
Ｓ３２で、登録手段１１０は、受信した会員申請情報を会員テーブル７００に登録する。
【００８４】
すなわち、登録手段１１０は、会員テーブル７００に新規レコードを追加し、新規に会員ＩＤを生成し該レコードに記録した上で、受信した会員申請情報の各データを登録する。
【００８５】
Ｓ３３で、登録手段１１０は、先に生成した会員ＩＤを示すバーコードを生成し、該会員バーコードをダウンロードするための会員バーコード取得画面を生成しユーザ端末２００に送信する。
【００８６】
そして、会員バーコード取得画面上のダウンロード実行ボタンが押下されることによって、ユーザ端末２００からダウンロード要求情報が送信されると、生成したバーコード画像をユーザ端末２００へ送信する。
【００８７】
Ｓ３４で、登録手段１１０は、ユーザ端末２００へ、専用アプリケーションソフトを取得するための専用ソフト取得画面を送信する。この専用アプリケーションソフトは、ユーザ端末２００内で起動し、加盟店発行の二次元バーコードをスキャンすると自動的にポイント管理サービスのインターネットサイトへログインし、ポイント申請処理を実施する。
【００８８】
そして、専用ソフト取得画面上のダウンロード実行ボタンが押下されることによって、ユーザ端末２００からダウンロード要求情報が送信されると、専用アプリケーションソフトをユーザ端末２００へ送信して、データ送信が完了すると、会員登録処理の終了画面をユーザ端末２００へ送信し、一連の会員登録処理を終了する。
【００８９】
なお、専用アプリケーションソフトは、図６に示すポイント申請処理でその詳細内容を後述する。
【００９０】
次に図５を用いて、会員が加盟店で購入商品を精算する際のバーコードリーダ付レジスタ３００が行う、レシート印字処理について説明する。
【００９１】
Ｓ４１で、バーコードリーダ付レジスタ３００の読取手段３２０は、商品に添付された商品バーコードを読み取り、バーコードが示すデータ内容を識別する。この商品バーコードには、商品名、商品識別番号、価格等の商品情報が含まれ、通常の商品バーコードと同等である。
【００９２】
会員が複数の商品を精算する場合は、複数回、商品バーコードを読み取ることになる。
【００９３】
Ｓ４２で、読取手段３２０は、ユーザ端末２００がその端末画面上に表示した会員バーコードを読み取り、そのバーコードが示す会員ＩＤを識別する。
【００９４】
Ｓ４３で、バーコードリーダ付レジスタ３００の印字手段３１０は、読取手段３２０が識別した商品情報から商品の精算処理を行う。この精算処理は、商品毎の価格を識別し、さらに税等その他必要な加減算処理をし合計金額を計算した上で、会員の支払価格と比較し、釣り銭を算出する。この処理は、従来のバーコードリーダ付レジスタが行う精算処理と同等である。
【００９５】
Ｓ４４で、印字手段３１０は、上記精算処理した情報、商品情報、会員ＩＤ、さらに、管理装置１００から発行された店ＩＤ、精算処理日時、レシートを識別するためのレシートＩＤをデータ内容とする二次元バーコードを作成する。
【００９６】
Ｓ４５で、印字手段３１０は、二次元バーコードを印字した、図１２に示すようなレシート１１００を印字して、一連のレシート印字処理を終了する。レシート１１００は、会員バーコードを表示したユーザ端末２００を所持する会員に渡される。
【００９７】
次に、図６を用いて、ユーザ端末２００の読取手段２２０が、加盟店が発行した二次元バーコードを読み込み、管理装置１００へポイントを申請するポイント申請処理を説明する。
【００９８】
この読取手段２２０は、管理装置１００からダウンロードされた専用アプリケーションソフトで、会員がユーザ端末２２０から操作入力することで起動して、一連のポイント申請処理を実行する。
【００９９】
管理装置１００と専用アプリケーションソフトとのデータのやりとりは、管理装置１００の管理手段１２０が制御するポイント管理サービスのインターネットサイトを介して処理される。
【０１００】
Ｓ５１で、読取手段２２０は、レシート１１００に印字された二次元バーコードを、ユーザ端末２００に内臓されたバーコードスキャナを用い読み取り、Ｓ５２で、読み取った二次元バーコードが示す金額情報、店ＩＤ，会員ＩＤ、レシートＩＤ、精算日時を識別する。
【０１０１】
Ｓ５３で、読取手段２２０は、読取手段２２０内に予め設定されたポイント管理サービスのインターネットサイト内のあるポイント申請専用ＵＲＬへアクセスする。このＵＲＬは、会員が通常アクセスするポイント管理サービスのメニュー画面からは移動できず、また、会員はこのＵＲＬを知らない。
【０１０２】
専用アプリケーションソフトのプログラムにこのＵＲＬが書き込まれているため該専用ソフトが自動的にアクセスする。あるいは、専用ソフトが、ポイント管理サービスのインターネットサイトの特定ＵＲＬへアクセスするように予め設定されており、そこで、ポイント申請専用ＵＲＬを取得するようにしてもよい。
【０１０３】
Ｓ５４で、読取手段２２０は、ポイント申請専用ＵＲＬへアクセスすると要求されるログイン認証に対して、専用アプリケーションソフトのプログラム内に設定されたログイン用の識別番号あるいはパスワードを利用して、ログインする。
【０１０４】
Ｓ５５で、読取手段２２０は、Ｓ５２で識別した会員ＩＤ、店ＩＤ、金額、レシートＩＤ、精算日時のデータを、ポイント申請専用ＵＲＬを介して、管理装置１００の管理手段１２０へ送信する。
【０１０５】
Ｓ５６で、読取手段２２０は、管理装置１００の管理手段１２０からのポイント更新結果情報を受信し、これをユーザ端末２００の端末画面上に表示する。
【０１０６】
ポイント更新結果情報には、今回発生したポイント数、その結果更新された対象会員のポイント残高が含まれる。
【０１０７】
そして、会員からの操作入力によって、読取手段２２０は、ポイント申請専用ＵＲＬからのログアウト処理を行うとともに、専用アプリケーションソフトの終了処理を行い、一連のポイント申請処理を終了する。
【０１０８】
以上のように、ポイント申請処理においては、ポイント申請専用ＵＲＬを会員は知らないため、会員が自らの操作入力でポイント申請専用ＵＲＬにアクセスすることはできない。また、二次元バーコード内の会員ＩＤ、購入金額もユーザ端末２００の画面に表示されないため、改ざんすることも出来ない。したがって、他会員のレシートを使って自分のポイントとしてポイント申請することはできない。
【０１０９】
図７を用いて、管理装置１００の管理手段１２０が実施するポイント登録処理を説明する。ポイント登録処理手段は、ユーザ端末２００の読取手段２２０が、ポイント管理サービスのインターネットサイトのポイント申請専用ＵＲＬにアクセスしてきたことを契機にして、その処理が始まる。
【０１１０】
Ｓ６１で、管理手段１２０は、ユーザ端末２００の読取手段２２０のログインを認証した上で、読取手段２２０が送信してくる店ＩＤ、会員ＩＤ、購入金額、レシートＩＤ、精算日時のデータを受信する。
【０１１１】
Ｓ６２で、管理手段１２０は、受信したデータについて、図示していないポイント申請履歴データベースを参照し、同一のデータレコードが既に蓄積されていないかチェックする。新規のデータであれば、新規レコードを作成し今回受信したデータを記録し、既に蓄積されている場合は、ユーザ端末２００の読取手段２２０に対して、既にポイント登録されているため今回のポイント申請は受け付けられない旨の登録拒否情報を送信する。
【０１１２】
今回受信したデータをポイント申請履歴ＤＢに記録した場合、Ｓ６３で、管理手段１２０は、ポイント定義テーブル９００を参照し、今回受信した購入金額からポイント数を算出する。
【０１１３】
例えば、店ＩＤがＳ０１の店舗が発行した図１２のようなレシートに基づいて、ポイントが申請された場合、ポイント定義テーブル９００では、Ｓ０１の店舗では、購入金額１０００円単位について１００ポイント発行と定義されている。したがって、購入金額１７００円ならば、１０００円分１００ポイントのサービスポイントが発行される。
【０１１４】
Ｓ６４で、管理手段１２０は、今回受信したデータから、会員ＩＤを識別し、さらに、Ｓ６５で、店ＩＤを識別することで、今回ポイント残高の更新をすべきポイントテーブル１０００のレコードを特定し、Ｓ６６でポイントを更新する。
【０１１５】
例えば、図１２のようなレシートに基づいてポイント申請された場合は、会員ＩＤがＰ０１に対して作成されているポイントテーブル１０００について、店ＩＤがＳ０１のレコードが今回変更するべきレコードとして特定される。
【０１１６】
今回のポイント申請が初めての会員であれば、該当するポイントテーブル１０００が存在しないので、該会員専用のポイントテーブル１０００を新規に作成し、該ポイントテーブル１０００へ、今回申請の店ＩＤの新規レコードを作成し、今回算出したポイント数を合計ポイント数として記録する。
【０１１７】
また、対象となる会員のポイントテーブル１０００は存在するものの、該当する店ＩＤのレコードが存在しなければ、今回申請の店ＩＤに対応する新規レコードを作成し、今回算出したポイント数を合計ポイントとして記録する。
【０１１８】
既に、対象会員のポイントテーブル１０００および対象店ＩＤのレコードが存在すれば、該レコードのポイント数に記録されている数値に、今回算出したポイント数を加算した数値へと変更する。
【０１１９】
そして、Ｓ６７で、管理手段１２０は、ユーザ端末２００の読取手段２２０に対して、ポイント更新結果情報を送信して、その後、読取手段２２０からのポイント申請専用ＵＲＬからのログアウト要求を受け付けて、ログアウト処理を行い、一連のポイント登録処理を終了する。
【０１２０】
ポイント更新結果情報には、今回発生したポイント数、その結果更新された対象会員のポイント残高が含まれる。
【０１２１】
以上が、管理装置１００の管理手段１２０が実行するポイント登録処理である。
【０１２２】
なお、本実施例では、ポイント登録が特徴であるため、詳しくは説明しないが、管理手段１２０は、ユーザ端末２００からのポイント利用申請にも対応する。
【０１２３】
ユーザ端末２００がポイント管理サービスのインターネットサイト内のポイント利用申請ＵＲＬへアクセスしてくると、管理手段１２０は、会員がポイント利用を希望する対象店ＩＤを取得する。そして、管理手段１２０は、該当店ＩＤが提供するポイント利用可能サービスに関する一覧情報をユーザ端末２００へ送信する。このポイント利用可能サービスには、割引サービスも含まれる。
【０１２４】
そして、ユーザ端末２００から選択サービス情報を受信すると、該当するポイントテーブル１０００の特定レコードについてポイント更新処理を行うとともに、該当するポイント利用サービスのバーコード情報およびポイント更新結果情報をユーザ端末２００へ送信する。
【０１２５】
ユーザ端末２００は、ポイント利用サービスを利用したい時点で、バーコードリーダ付レジスタ３００に該サービスのバーコードをユーザ端末２００の画面に表示して、バーコードリーダ付レジスタ３００のバーコードスキャナに読み込ませる。
【０１２６】
また、本実施例には、さらに、ユーザ端末２００や店舗端末５００からの要求に対する登録情報変更処理、ポイント照会処理なども可能である。これらの処理は、既に一般的に実施されている仕組みを流用することで可能である。
（付記１）購入者の代金支払に対してレシートを発行するレシート発行装置であって、
購入者の識別情報の入力を受け付ける受付手段と、
前記購入者の支払った代金を算出する算出手段と、
前記算出した代金および前記受け付けたユーザ識別情報に基づいてコード情報を生成し、該コード情報を発行する発行手段
を備えることを特徴とするレシート発行装置。
（付記２）付記１記載のレシート発行装置であって、
前記受付手段は、購入者が所持する購入者端末が画面表示したバーコードを読み取ることでユーザの識別情報を受け付け、
前記発行手段は、前記コード情報として二次元バーコードを発行する
ことを特徴とするレシート発行装置。
（付記３）付記１記載の決済装置であって、
前記発行手段は、前記コード情報をレシートに印字する
ことを特徴とするレシート発行装置。
（付記４）レシートを読み取ってサービスポイントを申請する申請装置であって
前記レシートに印字された、代金およびユーザ識別情報を併せた生成されたコード情報を読み取り、代金およびユーザ識別情報を識別する読取手段と、
前記識別した代金およびユーザ識別情報をサービスポイントを管理する管理装置に対して送信する送信手段
とを備えることを特徴とする申請装置。
（付記５）付記４記載の申請装置であって、
前記読取手段は、前記申請装置の画面に、識別した前記代金およびユーザ識別情報を表示せず、
前記送信手段は、前記申請装置の画面に、前記管理装置の所在情報を表示しない
ことを特徴とする申請装置。
【図面の簡単な説明】
【０１２７】
【図１】本発明のシステム構成例を示す図である。
【図２】本発明の全体的な処理の流れを示す図である。
【図３】本発明の管理装置１００における、加盟店登録処理フローを示す図である。
【図４】本発明の管理装置１００における、会員登録処理フローを示す図である。
【図５】本発明のバーコードリーダ付レジスタ３００における、レシート印字処理フローを示す図である。
【図６】本発明のユーザ端末２００における、ポイント申請処理フローを示す図である。
【図７】本発明の管理装置１００における、ポイント登録処理フローを示す図である。
【図８】本発明の会員テーブル７００を示す図である。
【図９】本発明の加盟店テーブル８００を示す図である。
【図１０】本発明のポイント定義テーブル９００を示す図である。
【図１１】本発明のポイントテーブル１０００を示す図である。
【図１２】本発明のレシート１１００を示す図である。
【符号の説明】
【０１２８】
１００  管理装置
１１０  登録手段
１２０  管理手段
１３０  会員ＤＢ（データベース）
１４０  加盟店ＤＢ（データベース）
１５０  ポイント定義ＤＢ（データベース）
１６０  ポイントＤＢ（データベース）
２００  ユーザ端末
２１０  表示手段
２２０  読取手段
２３０  ブラウズ手段
３００  バーコードリーダ付レジスタ
３１０  印字手段
３２０  読取手段
４００  ネットワーク
５００  店舗端末
５１０  ブラウズ手段
７００  会員テーブル
８００  加盟店テーブル
９００  ポイント定義テーブル
１０００  ポイントテーブル
１１００  レシート
【図１】
2007087225.tif 000003
【図２】
2007087225.tif 000004
【図３】
2007087225.tif 000005
【図４】
2007087225.tif 000006
【図５】
2007087225.tif 000007
【図６】
2007087225.tif 000008
【図７】
2007087225.tif 000009
【図８】
2007087225.tif 000010
【図９】
2007087225.tif 000011
【図１０】
2007087225.tif 000012
【図１１】
2007087225.tif 000013
【図１２】
2007087225.tif 000014